(57)【要約】  【課題】  ベースに対する光学素子の調整として、光軸を中心とした回転方向の角度の調整だけではなく、光軸と直交する方向の位置の調整も行うことができる光ヘッド装置を提供する。  【解決手段】  光ヘッド装置は、回折素子が搭載される光学素子ホルダ７０と、光学素子ホルダ７０が回折素子の光軸の周りに回転可能に係合するホルダ係合部を有するガイド部材８０と、装置フレーム１１に対する光学素子ホルダ７０およびガイド部材８０の位置を保持可能に光学素子ホルダ７０およびガイド部材８０を装置フレーム１１側に付勢する板バネ９０とを有し、ガイド部材８０は、光軸と直交する方向に装置フレーム１１上をスライド移動可能に装置フレーム１１に係合するフレーム係合壁８２ｂと、ガイド部材８０に対して光学素子ホルダ７０を光軸を中心として回転させる回転治具の支点が配設される円弧切り欠き８５とを有することを特徴とする。【選択図】  図５
2009238297.tif 000002
【特許請求の範囲】
【請求項１】
レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置において、
前記光学素子が搭載される光学素子ホルダと、
前記光学素子ホルダが前記光学素子の光軸の周りに回転可能に係合するホルダ係合部を有するガイド部材と、
前記ベースに対する前記光学素子ホルダおよび前記ガイド部材の位置を保持可能に前記光学素子ホルダおよび前記ガイド部材を前記ベース側に付勢する付勢部材とを有し、
前記ガイド部材は、前記光軸と直交する方向に前記ベース上をスライド移動可能に前記ベースに係合するベース係合部を有することを特徴とする光ヘッド装置。
【請求項２】
前記ガイド部材は、前記ガイド部材に対して前記光学素子ホルダを前記光軸を中心として回転させる回転治具の支点が配設される支点配設部を有することを特徴とする請求項１に記載の光ヘッド装置。
【請求項３】
前記ホルダ係合部は、前記光学素子ホルダが摺設する摺設面が周方向に円弧状に形成されていて、
前記支点配設部は、前記摺設面を除く周方向に配設することにより、前記ホルダ係合部を延長して形成される仮想円の内側に形成されていることを特徴とする請求項１または請求項２に記載の光ヘッド装置。
【請求項４】
前記光学素子ホルダおよび前記ガイド部材は、１つの付勢部材によって前記光軸の延在方向に付勢されていることを特徴とする請求項１から請求項３までの何れかに記載の光ヘッド装置。
【請求項５】
前記ベースは、前記付勢部材の付勢力によって前記光学素子ホルダ、前記ガイド部材および前記付勢部材を挟持する凹部を有し、
前記付勢部材は、前記凹部に挿入されて弾性変形してその復帰力によって前記光学素子ホルダを前記ベース側に付勢する付勢部と、前記凹部の内壁に当接することによって前記ガイド部材のスライド移動に伴って移動することを防止する移動防止部と、前記付勢部を内側に形成して前記移動防止部を外側に形成したリング状の枠部とを有する薄板によって一体成形されていることを特徴とする請求項４に記載の光ヘッド装置。
【請求項６】
前記付勢部は、リング状に前記枠部に形成されていることを特徴とする請求項５に記載の光ヘッド装置。
【請求項７】
前記ベース係合部は、前記ガイド部材に対して前記光学素子ホルダが前記回転治具によって回転させられるときの前記支点によって前記支点配設部が押される方向に前記支点配設部に対して配置されていることを特徴とする請求項１に記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録ディスクの再生や記録などに用いられる光ヘッド装置に関する。
【背景技術】
【０００２】
従来の光ヘッド装置として、レーザ光源としてのレーザ発光素子と、受光素子としてのフォトダイオードと、レーザ発光素子から出射されたレーザ光を光記録ディスクに導く往路および光記録ディスクからの反射光をフォトダイオードに導く復路の少なくとも一部を構成する光学素子としての回折格子と、レーザ発光素子、フォトダイオードおよび回折格子が搭載されたベースとしてのピックアップベースとを有する光ピックアップ装置が知られている（例えば、特許文献１参照。）。ピックアップベースには、複数の光学素子を取り付けるためのブロックベースが搭載されている。
【０００３】
また、光ピックアップ装置は、回折格子が搭載される光学素子ホルダとしてのホルダと、ブロックベースに対するホルダの位置を保持可能にホルダをブロックベース側に付勢する付勢部材としての板バネとを有している。ホルダは、ブロックベースに当接する円弧状の摺動端面を有している。
【０００４】
そして、回折格子は、ホルダが円弧状の摺動端面でブロックベースに当接しながら回動させられることによって、ブロックベースに対して光軸を中心とした回転方向の角度の調整が行われる。
【特許文献１】特開２００５−２８５１６６号公報
【発明の開示】
【発明が解決しようとする課題】
【０００５】
従来の光ピックアップ装置の回折格子は、ブロックベースに対して光軸を中心とした回転方向の角度の調整が行われることができるものの、ブロックベースに対して光軸と直交する方向の位置の調整が行われることができないので光学設計上の自由度が小さくなるという問題がある。
【０００６】
本発明は、従来の問題を解決するためになされたもので、ベースに対する光学素子の調整として、光軸を中心とした回転方向の角度の調整だけではなく、光軸と直交する方向の位置の調整も行うことができる光ヘッド装置を提供することを目的とする。
【課題を解決するための手段】
【０００７】
本発明の光ヘッド装置は、レーザ光源と、受光素子と、前記レーザ光源から出射されたレーザ光を光記録ディスクに導く往路および前記光記録ディスクからの反射光を前記受光素子に導く復路の少なくとも一部を構成する光学素子と、前記レーザ光源、前記受光素子および前記光学素子が搭載されたベースとを有する光ヘッド装置において、前記光学素子が搭載される光学素子ホルダと、前記光学素子ホルダが前記光学素子の光軸の周りに回転可能に係合するホルダ係合部を有するガイド部材と、前記ベースに対する前記光学素子ホルダおよび前記ガイド部材の位置を保持可能に前記光学素子ホルダおよび前記ガイド部材を前記ベース側に付勢する付勢部材とを有し、前記ガイド部材は、前記光軸と直交する方向に前記ベース上をスライド移動可能に前記ベースに係合するベース係合部を有することを特徴とする。
【０００８】
この構成により、本発明の光ヘッド装置は、光学素子ホルダが光学素子の光軸の周りに回転可能に係合するホルダ係合部と、光学素子の光軸と直交する方向にベース上をスライド移動可能にベースに係合するベース係合部とを有するガイド部材を有しているので、ベースに対する光学素子の調整として、光学素子の光軸を中心とした回転方向の角度の調整だけではなく、光学素子の光軸と直交する方向の位置の調整も行うことができる。
【０００９】
また、本発明の光ヘッド装置の前記ガイド部材は、前記ガイド部材に対して前記光学素子ホルダを前記光軸を中心として回転させる回転治具の支点が配設される支点配設部を有することが好ましい。
【００１０】
この構成により、本発明の光ヘッド装置は、支点配設部がガイド部材に形成されているので、支点配設部をベースに形成した構成と比較して支点配設部を光学素子ホルダに近接配置することができ、その分、角度の調整時に回転治具の回転角度が大きくなるので、調整誤差を少なくするためには有利な構造である。また、支点配設部をベースに形成した構成と比較して支点配設部を光学素子ホルダに近接配置することができるので、回転治具を回転させるための力も小さくなり、作業性を向上することができる。
【００１１】
また、本発明の光ヘッド装置の前記ホルダ係合部は、前記光学素子ホルダが摺設する摺設面が周方向に円弧状に形成されていて、前記支点配設部は、前記摺設面を除く周方向に配設することにより、前記ホルダ係合部を延長して形成される仮想円の内側に形成されていることが好ましい。
【００１２】
ここで、ホルダ係合部が周方向に円状に形成されている場合、支点配設部を周方向に配設するには、円状の外側に配設する必要がある。上記のように光学素子ホルダが摺設する摺設面を周方向に円弧状に形成することによって、摺設面以外の場所では、支点配設部を仮想円の内側に形成することが可能になる。従って、支点配設部を仮想円の内側に形成すれば、支点配設部が仮想円の内側に形成されている分、本発明の光ヘッド装置の小型化を図ることができる。
【００１３】
また、本発明の光ヘッド装置の前記光学素子ホルダおよび前記ガイド部材は、１つの付勢部材によって前記光軸の延在方向に付勢されていることが好ましい。
【００１４】
また、本発明の光ヘッド装置の前記ベースは、前記付勢部材の付勢力によって前記光学素子ホルダ、前記ガイド部材および前記付勢部材を挟持する凹部を有し、前記付勢部材は、前記凹部に挿入されて弾性変形してその復帰力によって前記光学素子ホルダを前記ベース側に付勢する付勢部と、前記凹部の内壁に当接することによって前記ガイド部材のスライド移動に伴って移動することを防止する移動防止部と、前記付勢部を内側に形成して前記移動防止部を外側に形成したリング状の枠部とを有する薄板によって一体成形されていることが好ましい。
【００１５】
この構成により、本発明の光ヘッド装置は、ベースの凹部の内壁に当接することによってガイド部材のスライド移動に伴って付勢部材が移動することを防止する移動防止部を付勢部材が有しているので、付勢部材の位置を安定させ付勢部に「よれ」等が発生し難く、目論み通りの付勢力が得られる。また、本発明の光ヘッド装置の付勢部材は、枠部の内側に付勢部を形成して枠部の外側に移動防止部を形成するという配置関係によって薄板で一体成形させることができるので、例えば、金属薄板からプレスによる抜き加工により形成されることも可能になる。
【００１６】
また、本発明の光ヘッド装置の前記付勢部は、リング状に前記枠部に形成されていることが好ましい。
【００１７】
この構成により、本発明の光ヘッド装置の付勢部材は、付勢部がリング状に枠部に形成されているので、付勢部が枠部から２本伸びていてその２本を繋ぐ部分がない構成と比較して、光学素子ホルダのスライド移動に伴う付勢部の「よれ」等を抑制することができ安定した付勢力を確保することができる。
【００１８】
また、本発明の光ヘッド装置の前記ベース係合部は、前記ガイド部材に対して前記光学素子ホルダが前記回転治具によって回転させられるときの前記支点によって前記支点配設部が押される方向に前記支点配設部に対して配置されていることが好ましい。
【００１９】
この構成により、本発明の光ヘッド装置のガイド部材は、光学素子ホルダがガイド部材に対して回転治具によって回転させられるときに、回転治具の支点によって支点配設部が押される力によってベースに対して移動することを防止することができる。したがって、本発明の光ヘッド装置は、ベースに対する光学素子の調整として光学素子の光軸を中心とした回転方向の角度の調整が行われるときに、回転治具の支点によってガイド部材がベースに押圧されるので、光学素子ホルダと、ガイド部材との相対回転による調整動作が安定して行われることが可能である。
【発明の効果】
【００２０】
本発明によれば、光学素子ホルダが光学素子の光軸の周りに回転可能に係合するホルダ係合部と、光学素子の光軸と直交する方向にベース上をスライド移動可能にベースに係合するベース係合部とを有するガイド部材によって、ベースに対する光学素子の調整として、光軸を中心とした回転方向の角度の調整だけではなく、光軸と直交する方向の位置の調整も行うことができる光ヘッド装置を提供することができる。
【発明を実施するための最良の形態】
【００２１】
以下、本発明の一実施の形態について、図面を用いて説明する。
【００２２】
まず、本実施の形態に係る光ヘッド装置の構成について説明する。
【００２３】
図１は、本実施の形態に係る光ヘッド装置１０の斜視図である。図２は、光ヘッド装置１０の分解斜視図である。図３は、光ヘッド装置１０の斜視図であって、一部の部品が取り除かれた状態での図である。図４は、光ヘッド装置１０の底面図である。
【００２４】
図１に示す光ヘッド装置１０は、波長が６５０ｎｍ帯のレーザ光と、波長が７８０ｎｍ帯のレーザ光とを用いてＣＤ系ディスクやＤＶＤ系ディスクなどの図示していない光記録ディスクに対する情報の再生や記録などが可能な２波長光ヘッド装置である。
【００２５】
図１〜図４に示すように、光ヘッド装置１０は、マグネシウムや亜鉛などのダイカスト品からなる金属製の装置フレーム１１と、装置フレーム１１に対して光記録ディスク側に配置されて装置フレーム１１上の各種の部品を覆う金属カバー１２および金属カバー１３と、波長が６５０ｎｍ帯のレーザ光を出射するＡｌＧａＩｎＰ系の半導体レーザを備えたレーザ光源としてのレーザ光源装置２１と、波長が７８０ｎｍ帯のレーザ光を出射するＡｌＧａＡｓ系の半導体レーザを備えたレーザ光源としてのレーザ光源装置２２と、レーザ光源装置２１およびレーザ光源装置２２によって出射されたレーザ光を受光するためのモニタ用受光素子２３と、光記録ディスクの記録面で反射されたレーザ光を受光するための受光素子としての信号検出用受光素子２４と、レーザ光源装置２１およびレーザ光源装置２２によって出射されたレーザ光を光記録ディスクの記録面に収束させる対物レンズ３１を含む光学系３０と、装置フレーム１１に搭載されて対物レンズ３１の位置をサーボ制御するための対物レンズ駆動機構４０と、レーザ光源装置２１、レーザ光源装置２２、モニタ用受光素子２３、信号検出用受光素子２４および対物レンズ駆動機構４０などに電気的に接続されたフレキシブル回路基板５０と、光ヘッド装置１０の裏面に貼り付けられて光ヘッド装置１０の内部に塵が侵入することを防止する防塵シール６０とを備えている。
【００２６】
装置フレーム１１は、光記録ディスクを駆動する図示していないディスク駆動装置のガイド軸や送りねじ軸が係合する軸受１１ａおよび軸受１１ｂと、金属カバー１２の位置決め用の突起１１ｃと、金属カバー１２を留めるための爪１１ｄとを備えている。
【００２７】
金属カバー１２は、装置フレーム１１の突起１１ｃに嵌まる穴部１２ａと、装置フレーム１１の爪１１ｄに係合する溝部１２ｂとを備えている。
【００２８】
金属カバー１３は、対物レンズ３１から出射されるレーザ光を通過させる穴部１３ａを有しており、対物レンズ駆動機構４０を覆っている。
【００２９】
レーザ光源装置２１、レーザ光源装置２２およびモニタ用受光素子２３は、装置フレーム１１に搭載されており、金属カバー１２によって覆われている。
【００３０】
光学系３０は、レーザ光源装置２１から出射されたレーザ光を透過しレーザ光源装置２２から出射されたレーザ光を反射する光路合成用の偏光プリズム３２と、レーザ光源装置２１および偏光プリズム３２の間に配置されて１／２波長板が一体に構成された回折素子３３と、レーザ光源装置２２および偏光プリズム３２の間に配置された回折素子３４およびリレーレンズ３５と、モニタ用受光素子２３および偏光プリズム３２の間に配置されて偏光プリズム３２から出射されたレーザ光を部分反射するハーフミラー３６と、偏光プリズム３２から出射されてハーフミラー３６によって反射されたレーザ光に１／４波長の位相差を生じさせる１／４波長板３７と、１／４波長板３７を透過したレーザ光を平行光にするコリメートレンズ３８と、コリメートレンズ３８によって平行光にされたレーザ光を光記録ディスクに向けて立ち上げる立ち上げミラー３９とを含んでいる。
【００３１】
偏光プリズム３２、回折素子３３、回折素子３４、リレーレンズ３５、ハーフミラー３６、１／４波長板３７、コリメートレンズ３８および立ち上げミラー３９は、装置フレーム１１に搭載されている。偏光プリズム３２、回折素子３３、回折素子３４、リレーレンズ３５、ハーフミラー３６および１／４波長板３７は、金属カバー１２によって覆われている。コリメートレンズ３８および立ち上げミラー３９は、対物レンズ駆動機構４０によって覆われている。
【００３２】
フレキシブル回路基板５０は、レーザ光源装置２１と電気的に接続される端部５０ａと、レーザ光源装置２２と電気的に接続される端部５０ｂと、モニタ用受光素子２３と電気的に接続される端部５０ｃと、信号検出用受光素子２４と電気的に接続される端部５０ｄと、対物レンズ駆動機構４０と電気的に接続される図示していない端部とを備えており、部分的に折り曲げられて立体的に装置フレーム１１に搭載されて金属カバー１２によって覆われている。
【００３３】
図５は、光ヘッド装置１０の一部の底面図であって、防塵シール６０（図４参照。）が貼られていない状態での図である。図６は、光ヘッド装置１０の一部の斜視図であって、防塵シール６０が貼られていない状態での図である。図７は、図６における視点とは異なる視点から見た光ヘッド装置１０の一部の斜視図であって、防塵シール６０が貼られていない状態での図である。図８は、光学素子としての回折素子３３を搭載した光学素子ホルダ７０と、光学素子ホルダ７０に係合するガイド部材８０および板バネ９０との正面図である。図９は、光学素子ホルダ７０、ガイド部材８０および板バネ９０の正面側から見た分解斜視図である。図１０は、光学素子ホルダ７０、ガイド部材８０および板バネ９０の背面側から見た分解斜視図である。
【００３４】
図５〜図１０に示すように、光ヘッド装置１０は、回折素子３３が搭載される黒色の光学素子ホルダ７０と、光学素子ホルダ７０が回折素子３３の光軸の周りに回転可能に係合するホルダ係合部としての円弧壁８１を有する白色のガイド部材８０と、ベースとしての装置フレーム１１に対する光学素子ホルダ７０およびガイド部材８０の位置を保持可能に光学素子ホルダ７０およびガイド部材８０を装置フレーム１１側、すなわち矢印１０ａで示す回折素子３３の光軸の延在方向に付勢する付勢部材としての板バネ９０とを有している。
【００３５】
図１１は、装置フレーム１１の底面図である。図１２は、装置フレーム１１の一部の斜視図である。
【００３６】
図５〜図７、図１１および図１２に示すように、装置フレーム１１は、板バネ９０の付勢力によって光学素子ホルダ７０、ガイド部材８０および板バネ９０を挟持する凹部１１ｅを有している。凹部１１ｅは、上面を形成する凹部壁１１ｆと、レーザ光源装置２１側に配置されて凹部壁１１ｆに直交する凹部壁１１ｇと、凹部壁１１ｇに対向して配置されて凹部壁１１ｆに直交する凹部壁１１ｈと、凹部壁１１ｇおよび凹部壁１１ｈの両端に配置されて凹部壁１１ｆに直交する凹部壁１１ｉとを有している。凹部壁１１ｇ、１１ｈには、それぞれ中央付近にレーザ光を通す光通穴１１ｊ、１１ｋが形成されている。また、装置フレーム１１は、光通穴１１ｋに対して光通穴１１ｊとは反対側の位置において底面に丸孔１１ｎが形成されている。
【００３７】
図１３は、光学素子ホルダ７０の正面図である。図１４は、光学素子ホルダ７０の正面側から見た斜視図である。
【００３８】
図５、図８〜図１０、図１３および図１４に示すように、光学素子ホルダ７０は、板バネ９０と係合するバネ係合壁７１と、バネ係合壁７１とは反対側の壁７２の中央に設けられて回折素子３３が搭載される素子搭載台７３と、壁７２の４隅に設けられてガイド部材８０に係合するガイド係合部７４と、光学素子ホルダ７０が装置フレーム１１の凹部１１ｅに収納されている場合に外部に露出する部分に設けられた切り欠き７５と、中央に設けられてレーザ光を通す光通穴７６とを有している。素子搭載台７３は、ガイド部材８０の円弧壁８１に係合する円弧状の２つの円弧壁７３ａと、回折素子３３と係合して光軸に直交する方向における回折素子３３の位置決めを行うための証面としての２つの素子位置決め壁７３ｂと、回折素子３３に塵などがかかることを防止する舌片状に形成された２つの防塵壁７３ｃと、素子搭載台７３に回折素子３３を固定する接着剤７７が素子搭載台７３からはみ出すことを防止するとともに接着剤７７の接着面積を向上させるための２つの溝部７３ｄとを有している。
【００３９】
図１５は、ガイド部材８０の正面側から見た斜視図である。図１６は、ガイド部材８０の背面側から見た斜視図である。
【００４０】
図５、図８〜図１０、図１５および図１６に示すように、ガイド部材８０は、回折素子３３の光軸と直交する方向のうち装置フレーム１１の凹部壁１１ｆ（図１１および図１２参照。）に平行な矢印１０ｂで示す方向に装置フレーム１１上をスライド移動可能に装置フレーム１１の凹部壁１１ｆ、１１ｈに係合するベース係合部としてのフレーム係合壁８２ａ、８２ｂと、フレーム係合壁８２ｂとは反対側に設けられて光学素子ホルダ７０のガイド係合部７４と係合するホルダ係合壁８３と、フレーム係合壁８２ｂおよびホルダ係合壁８３の間を貫通して２つの円弧状の円弧壁８１が形成された貫通穴８４と、ガイド部材８０が装置フレーム１１の凹部１１ｅに収納されている場合に外部に露出する部分の中央に設けられた円弧状の円弧切り欠き８５と、ガイド部材８０が装置フレーム１１の凹部１１ｅに収納されている場合に外部に露出する部分の両端に設けられてホルダ係合壁８３側が閉じた２つの切り欠き８６とを有している。円弧切り欠き８５は、ガイド部材８０に対して光学素子ホルダ７０を回折素子３３の光軸を中心として回転させる回転治具９００（図１０参照。）の支点９０１（図１０参照。）が配設されるための部分であり、支点配設部を構成している。また、円弧切り欠き８５は、回折素子３３の光軸を中心として円弧壁８１を延長して形成される仮想円の内側に形成されている。
【００４１】
図１７（ａ）〜（ｃ）は、それぞれ板バネ９０の上面図、正面図、側面図である。
【００４２】
図５、図８〜図１０および図１７に示すように、板バネ９０は、厚さ略０．２ｍｍの薄板状金属板で形成され、フレーム１１の凹部１１ｅに挿入されて弾性変形してその復帰力によって光学素子ホルダ７０を装置フレーム１１側に付勢する付勢部９１と、凹部１１ｅの内壁である凹部壁１１ｉに当接することによってガイド部材８０のスライド移動に伴って移動することを防止する２つの移動防止部９２と、板バネ９０が装置フレーム１１の凹部１１ｅに収納されている場合に外部に露出する部分に設けられて組立時に作業者によって押されるための操作部９３と、付勢部９１を内側に形成して移動防止部９２および操作部９３を外側に形成したリング状の枠部９４とを有している。板バネ９０は、一枚の金属板から形成されている。付勢部９１は、２つの移動防止部９２の近傍に設けられた２つのバネ部９１ａと、２つのバネ部９１ａを連結する連結部９１ｂとを有している。２つのバネ部９１ａは、矢印１０ｃで示す方向の位置において回折素子３３の中心位置と同じ位置で光学素子ホルダ７０に接触している。板バネ９０は、付勢部９１のバネ部９１ａおよび連結部９１ｂと、枠部９４の一部とによって、レーザ光を通す光通穴９５が中央に形成されている。枠部９４は、付勢部９１とは反対側に設けられて装置フレーム１１の凹部壁１１ｆ、１１ｇに係合するフレーム係合壁９４ａ、９４ｂを有している。操作部９３は、図４に示すように防塵シール６０が貼り付けられる。なお、板バネ９０の金属板の厚さは０．２ｍｍに限定されるものでない。また、板バネ９０の金属板の材質としては、ステンレス、鉄、銅などが用いられる。
【００４３】
次に、装置フレーム１１に対する回折素子３３の固定方法について説明する。
【００４４】
まず、回折素子３３は、図８および図９に示すように、光学素子ホルダ７０の素子搭載台７３の素子位置決め壁７３ｂに当接させられて、接着剤７７によって素子搭載台７３に接着固定される。
【００４５】
回折素子３３が接着固定された光学素子ホルダ７０は、ガイド係合部７４でガイド部材８０のホルダ係合壁８３と係合して切り欠き７５とガイド部材８０の円弧切り欠き８５と連結するように、ガイド部材８０の貫通穴８４に素子搭載台７３が挿入されることによって、ガイド部材８０と組み合わされる。
【００４６】
そして、光学素子ホルダ７０およびガイド部材８０のユニットは、ガイド部材８０のフレーム係合壁８２ａ、８２ｂが装置フレーム１１の凹部壁１１ｆ、１１ｈ（図１１および図１２参照。）に係合するように、矢印１０ａで示す方向と、矢印１０ｂで示す方向との双方に直交する矢印１０ｃ（図８〜図１０参照。）で示す方向から凹部１１ｅに挿入される。
【００４７】
次いで、板バネ９０は、付勢部９１で光学素子ホルダ７０のバネ係合壁７１に係合してフレーム係合壁９４ｂで装置フレーム１１の凹部壁１１ｇ（図１１および図１２参照。）に係合するように、フレーム係合壁９４ａが装置フレーム１１の凹部壁１１ｆに突き当たるまで作業者によって操作部９３が押されることによって、矢印１０ｃ（図８〜図１０参照。）で示す方向から凹部１１ｅに挿入される。
【００４８】
（回折素子３３の光軸と直交する矢印１０ｂで示す方向の位置の調整）
そして、光学素子ホルダ７０およびガイド部材８０のユニットは、ガイド部材８０のフレーム係合壁８２ａ、８２ｂが装置フレーム１１の凹部壁１１ｆ、１１ｈ（図１１および図１２参照。）に係合しながら、矢印１０ｂで示す方向に移動させられる。これによって、光学素子ホルダ７０に搭載された回折素子３３は、矢印１０ｂで示す方向の位置が調整される。
【００４９】
ここで、光学素子ホルダ７０およびガイド部材８０のユニットは、光学素子ホルダ７０のバネ係合壁７１が板バネ９０の付勢部９１によって装置フレーム１１の凹部壁１１ｈ側に付勢されているので、ガイド部材８０のフレーム係合壁８２ｂが装置フレーム１１の凹部壁１１ｈに係合しながら安定して移動させられることができる。また、板バネ９０は、光学素子ホルダ７０およびガイド部材８０のユニットが矢印１０ｂで示す方向に移動させられるとき、移動防止部９２が装置フレーム１１の凹部壁１１ｉに係合することによって光学素子ホルダ７０およびガイド部材８０のユニットと連動することを防止することができる。移動防止部９２は、装置フレーム１１の凹部壁１１ｉに係合して弾性変形することによって、復帰力によって板バネ９０の位置を維持する。
【００５０】
回折素子３３の光軸と直交する矢印１０ｂで示す方向の位置の調整が終了すると、ガイド部材８０は、切り欠き８６に紫外線硬化型接着剤１０１（図５〜図７参照。）が塗布されて、紫外線硬化型接着剤１０１によって装置フレーム１１と接着固定される。これによって、ガイド部材８０が装置フレーム１１に対して移動できなくなるので、ガイド部材８０と組み合わさっている光学素子ホルダ７０と、光学素子ホルダ７０に搭載された回折素子３３とは、装置フレーム１１に対して矢印１０ｂで示す方向に移動することができなくなる。
【００５１】
（回折素子３３の光軸を中心とした矢印１０ｄ（図８参照。）で示す回転方向の角度の調整）
ガイド部材８０が紫外線硬化型接着剤１０１によって固定されると、光学素子ホルダ７０は、図８に示すように、素子搭載台７３の円弧壁７３ａがガイド部材８０の円弧壁８１に係合しながら、回折素子３３の光軸を中心として回転させられる。これによって、光学素子ホルダ７０に搭載された回折素子３３は、光軸を中心とした矢印１０ｄで示す回転方向の角度が調整される。なお、光学素子ホルダ７０は、回転治具９００（図１０参照。）の支点９０１（図１０参照。）がガイド部材８０の円弧切り欠き８５に配設されて、回転治具９００の作用点９０２（図１０参照。）が切り欠き７５に配設された状態で、把持部９０３（図１０参照。）が作業者に把持された回転治具９００が支点９０１を中心として作業者に回転させられることによって、回転させられる。
【００５２】
ここで、光学素子ホルダ７０は、バネ係合壁７１が板バネ９０の付勢部９１によってガイド部材８０のホルダ係合壁８３側に付勢されているので、ガイド係合部７４がガイド部材８０のホルダ係合壁８３に係合しながら安定して回転させられることができる。また、板バネ９０は、光学素子ホルダ７０が回折素子３３の光軸を中心として回転させられるとき、移動防止部９２が装置フレーム１１の凹部壁１１ｉに係合することによって光学素子ホルダ７０と連動することを防止することができる。
【００５３】
回折素子３３の光軸を中心とした矢印１０ｄで示す回転方向の角度の調整が終了すると、図５〜図７に示すように、紫外線硬化型接着剤１０１と同じ成分の紫外線硬化型接着剤１０２が装置フレーム１１の凹部壁１１ｉの近傍に塗布されて、紫外線硬化型接着剤１０２によって装置フレーム１１、光学素子ホルダ７０、ガイド部材８０および板バネ９０が互いに接着固定される。これによって、光学素子ホルダ７０が装置フレーム１１に対して移動できなくなるので、光学素子ホルダ７０に搭載された回折素子３３は、装置フレーム１１に対して光軸を中心として回転することができなくなる。
【００５４】
最後に、図４に示すように、防塵シール６０が板バネ９０の操作部９３に貼り付けられる。
【００５５】
以上に説明したように、光ヘッド装置１０は、光学素子ホルダ７０が回折素子３３の光軸の周りに回転可能に係合する円弧壁８１と、回折素子３３の光軸と直交する矢印１０ｂで示す方向に装置フレーム１１上をスライド移動可能に装置フレーム１１に係合するフレーム係合壁８２ａ、８２ｂとを有するガイド部材８０を有しているので、装置フレーム１１に対する回折素子３３の調整として、回折素子３３の光軸を中心とした矢印１０ｄ（図８参照。）で示す回転方向の角度の調整だけではなく、回折素子３３の光軸と直交する矢印１０ｂで示す方向の位置の調整も行うことができる。
【００５６】
また、光ヘッド装置１０のガイド部材８０のフレーム係合壁８２ａは、ガイド部材８０に対して光学素子ホルダ７０が回転治具９００（図１０参照。）によって回転させられるときの回転治具９００の支点９０１（図１０参照。）によって円弧切り欠き８５が押される方向に円弧切り欠き８５に対して配置されている。そのため、ガイド部材８０は、光学素子ホルダ７０がガイド部材８０に対して回転治具９００によって回転させられるときに、回転治具９００の支点９０１によって円弧切り欠き８５が押される力によって装置フレーム１１に対して移動することを防止することができる。したがって、光ヘッド装置１０は、装置フレーム１１に対する回折素子３３の調整として回折素子３３の光軸を中心とした矢印１０ｄで示す回転方向の角度の調整が行われるときに、回転治具９００の支点９０１によってガイド部材８０が装置フレーム１１の凹部壁１１ｆ（図１１および図１２参照。）に押圧されるので、光学素子ホルダ７０と、ガイド部材８０との相対回転による調整動作が安定して行われることが可能である。
【００５７】
なお、光ヘッド装置１０は、回転治具９００の支点９０１がガイド部材８０の円弧切り欠き８５ではなく装置フレーム１１の丸孔１１ｎ（図５〜図７参照。）に配設されることによって、回折素子３３の光軸を中心とした矢印１０ｄで示す回転方向の角度の調整が行われても良い。しかしながら、光ヘッド装置１０は、回転治具９００の支点９０１がガイド部材８０の円弧切り欠き８５に配設される方が、回転治具９００の支点９０１が装置フレーム１１の丸孔１１ｎに配設される構成よりも、回転治具９００の支点９０１と、光学素子ホルダ７０の切り欠き７５に配設される回転治具９００の作用点９０２（図１０参照。）との間の距離が短いので、回折素子３３の光軸を中心とした矢印１０ｄで示す回転方向の角度の調整が高精度に行われることができる。すなわち、角度の調整時に回転治具９００の回転角度が大きくなるので、調整誤差を少なくするためには有利な構造である。
【００５８】
また、光ヘッド装置１０は、回転治具９００の支点９０１がガイド部材８０の円弧切り欠き８５に配設される方が、回転治具９００の支点９０１が装置フレーム１１の丸孔１１ｎに配設される構成よりも、回転治具９００の支点９０１と、光学素子ホルダ７０の切り欠き７５に配設される回転治具９００の作用点９０２との間の距離が短いので、回転治具９００を回転させるための力も小さくなり、作業性を向上することができる。
【００５９】
また、光ヘッド装置１０は、ガイド部材８０の円弧壁８１が円状ではなく、円の一部が欠けた円弧状に形成されているので、円弧壁８１が円状に形成されている構成と比較して、円弧壁８１を延長して形成される仮想円の内側に円弧切り欠き８５が形成されている分、矢印１０ｃで示す方向に小型化することができる。
【００６０】
また、光ヘッド装置１０は、矢印１０ｃで示す方向の位置において板バネ９０の２つのバネ部９１ａが光学素子ホルダ７０に接触している位置と同じ位置に回折素子３３の中心が配置されるように設計されているので、回折素子３３の位置や角度の調整時に板バネ９０に安定して光学素子ホルダ７０を付勢させることができる。
【００６１】
また、光ヘッド装置１０は、板バネ９０の２つのバネ部９１ａが連結部９１ｂで連結されているので、２つのバネ部９１ａが連結部９１ｂで連結されていない構成と比較して、回折素子３３の光軸に直交する方向における２つのバネ部９１ａの強度を向上することができる。したがって、光ヘッド装置１０は、回折素子３３の位置や角度の調整時に板バネ９０に安定して光学素子ホルダ７０を付勢させることができる。
【００６２】
また、光ヘッド装置１０は、板バネ９０の付勢部９１が枠部９４において装置フレーム１１の凹部１１ｅへの挿入側から立ち上がっているので、板バネ９０の付勢部９１が枠部９４において装置フレーム１１の凹部１１ｅへの挿入側とは反対側、すなわち操作部９３側から立ち上がっている構成と比較して、装置フレーム１１の凹部１１ｅへ板バネ９０が挿入されるときに付勢部９１が凹部１１ｅの入り口などに引っ掛からずにスムーズに凹部１１ｅに挿入されることができる。
【００６３】
また、光ヘッド装置１０は、ガイド部材８０が白色であるので、狭くて陰になり易い切り欠き８６であっても、ガイド部材８０が黒色の構成と比較して、紫外線硬化型接着剤１０１の塗布状態を作業者に容易に観察させることができる。
【００６４】
また、光ヘッド装置１０は、装置フレーム１１の凹部１１ｅの凹部壁１１ｉに当接することによってガイド部材８０のスライド移動に伴って板バネ９０が移動することを防止する移動防止部９２を板バネ９０が有しているので、板バネ９０の位置を安定させ付勢部９１に「よれ」等が発生し難く、目論み通りの付勢力が得られる。
【００６５】
また、板バネ９０は、枠部９４の内側に付勢部９１を形成して枠部９４の外側に移動防止部９２を形成するという配置関係によって薄板で一体成形させることができるので、例えば、金属薄板からプレスによる抜き加工により形成されることも可能になる。
【００６６】
また、板バネ９０は、付勢部９１がリング状に枠部９４に形成されているので、付勢部９１が枠部９４からバネ部９１ａとして２本伸びていてその２本のバネ部９１ａを繋ぐ部分である連結部９１ｂがない構成と比較して、光学素子ホルダ７０のスライド移動に伴う付勢部９１の「よれ」等を抑制することができ安定した付勢力を確保することができる。
【００６７】
図１８は、光学素子ホルダ７０（図１３および図１４参照。）の変形例である光学素子ホルダ１７０の正面図である。図１９は、光学素子ホルダ１７０の正面側から見た斜視図である。なお、光学素子ホルダ１７０の構成のうち、光学素子ホルダ７０の構成と同様な構成については、同一の符号を付して詳細な説明を省略する。
【００６８】
光ヘッド装置１０は、本実施の形態に示した形状以外の形状であっても良い。例えば、光ヘッド装置１０は、光学素子ホルダ７０が図１８および図１９に示す光学素子ホルダ１７０に代えられても良い。光学素子ホルダ１７０は、光学素子ホルダ７０を小型化したものであり、光学素子ホルダ７０のガイド係合部７４に代えて、ガイド部材８０に係合するガイド係合部１７４が光通穴７６を挟むように２つ設けられている。
【図面の簡単な説明】
【００６９】
【図１】本発明の一実施の形態に係る光ヘッド装置の斜視図である。
【図２】図１に示す光ヘッド装置の分解斜視図である。
【図３】図１に示す光ヘッド装置の斜視図であって、一部の部品が取り除かれた状態での図である。
【図４】図１に示す光ヘッド装置の底面図である。
【図５】図１に示す光ヘッド装置の一部の底面図であって、防塵シールが貼られていない状態での図である。
【図６】図１に示す光ヘッド装置の一部の斜視図であって、防塵シールが貼られていない状態での図である。
【図７】図６における視点とは異なる視点から見た、図１に示す光ヘッド装置の一部の斜視図であって、防塵シールが貼られていない状態での図である。
【図８】図３に示す回折素子を搭載した光学素子ホルダと、光学素子ホルダに係合するガイド部材および板バネとの正面図である。
【図９】図５に示す光学素子ホルダ、ガイド部材および板バネの正面側から見た分解斜視図である。
【図１０】図５に示す光学素子ホルダ、ガイド部材および板バネの背面側から見た分解斜視図である。
【図１１】図１に示す装置フレームの底面図である。
【図１２】図１に示す装置フレームの一部の斜視図である。
【図１３】図５に示す光学素子ホルダの正面図である。
【図１４】図５に示す光学素子ホルダの正面側から見た斜視図である。
【図１５】図５に示すガイド部材の正面側から見た斜視図である。
【図１６】図５に示すガイド部材の背面側から見た斜視図である。
【図１７】（ａ）図５に示す板バネの上面図である。  （ｂ）図５に示す板バネの正面図である。  （ｃ）図５に示す板バネの側面図である。
【図１８】図５に示す光学素子ホルダの正面図であって、図１３に示す形状とは異なる形状の光学素子ホルダの図である。
【図１９】図１８に示す光学素子ホルダの正面側から見た斜視図である。
【符号の説明】
【００７０】
１０  光ヘッド装置
１１  装置フレーム（ベース）
１１ｅ  凹部
１１ｉ  凹部壁（内壁）
２１、２２  レーザ光源装置（レーザ光源）
２４  信号検出用受光素子（受光素子）
３３  回折素子（光学素子）
７０  光学素子ホルダ
８０  ガイド部材
８１  円弧壁（ホルダ係合部）
８２ａ、８２ｂ  フレーム係合壁（ベース係合部）
８５  円弧切り欠き（支点配設部）
９０  板バネ（付勢部材）
９１  付勢部
９２  移動防止部
９４  枠部
１７０  光学素子ホルダ
９００  回転治具
９０１  支点
【図１】
2009238297.tif 000003
【図２】
2009238297.tif 000004
【図３】
2009238297.tif 000005
【図４】
2009238297.tif 000006
【図５】
2009238297.tif 000007
【図６】
2009238297.tif 000008
【図７】
2009238297.tif 000009
【図８】
2009238297.tif 000010
【図９】
2009238297.tif 000011
【図１０】
2009238297.tif 000012
【図１１】
2009238297.tif 000013
【図１２】
2009238297.tif 000014
【図１３】
2009238297.tif 000015
【図１４】
2009238297.tif 000016
【図１５】
2009238297.tif 000017
【図１６】
2009238297.tif 000018
【図１７】
2009238297.tif 000019
【図１８】
2009238297.tif 000020
【図１９】
2009238297.tif 000021